【事件の表示】
　特許第２８１６４１５号「薬剤分包機」の特許に対する特許異議の申立てについて、次のとおり決定する。
【結論】
　訂正を認める。
　特許第２８１６４１５号の特許を維持する。
【理由】
１．手続きの経緯
　本件特許第２８１６４１５号は、平成３年４月１８日に特許出願され、平成１０年８月２１日にその特許の設定登録がなされ、それに対して、平成１１年４月２２日に藤本直行より特許異議の申立てがなされ、取消理由通知がなされたところ、その指定期間内である平成１１年８月９日に特許異議意見書の提出とともに訂正請求がなされたものである。
２．訂正の適否についての判断
（１）訂正事項
　上記の訂正請求は、明細書の記載を、訂正請求書に添付された訂正明細書の記載のとおりに、具体的には、以下の点で訂正することを求めるものである。
ａ．特許請求の範囲における請求項１の「散薬および錠剤が投入される包装装置」の記載を「散薬および錠剤を受け入れる投入ホッパと、この投入ホッパを介して薬剤が投入される包装装置」と訂正する。
ｂ．特許請求の範囲における請求項１の単なる「ホッパ」の記載を「共通ホッパ」と訂正する。
ｃ．発明の詳細な説明の段落【０００５】の「散薬および錠剤が投入される包装装置」の記載を「散薬および錠剤を受け入れる投入ホッパと、この投入ホッパを介して薬剤が投入される包装装置」と訂正する。
ｄ．発明の詳細な説明の段落【０００５】の単なる「ホッパ」の記載を「共通ホッパ」と訂正する。
ｅ．発明の詳細な説明の段落【０００６】の「開閉手段によってホッパ内に一時貯留されてから一度に包装装置に送られる」の記載を「開閉手段によって共通ホッパ内に一時貯留されてから一度に投入ホッパへ送られ更に包装装置に送られる」と訂正する。
ｆ．発明の詳細な説明の段落【００１２】の「開閉手段によってホッパ内に一時貯留されてから一度に包装装置に送られる」の記載を「開閉手段によって共通ホッパ内に一時貯留されてから一度に投入ホッパそして包装装置に送られる」と訂正する。
（２）訂正の目的の適否、新規事項の有無及び特許請求の範囲の拡張・変更の有無
　上記訂正事項ａおよびｃは、「散薬および錠剤が投入される」際に、共通ホッパから直に包装装置に投入するのではなく、包装装置に投入するための投入ホッパが存在することを明記することで、「前記ホッパを介して落下した」の記載における「前記ホッパ」が包装装置に投入するためのものではないことを明りょうにするもので、明りょうでない記載の釈明を目的とするものである。
　上記訂正事項ｂおよびｄは、「切り出し手段によって切り出された散剤および前記錠剤ホッパにて収集された錠剤を受け入れるホッパ」を「共通ホッパ」と記載することにより、「錠剤ホッパ」と区別し、以下に単に「ホッパ」と記載されたものが「共通ホッパ」であることを明りょうにしたもので、明りょうでない記載の釈明を目的とするものである。
　上記訂正事項ｅおよびｆは、散薬および錠剤が一時貯留されるホッパが「共通ホッパ」であり、包装装置に投入するための「投入ホッパ」とは区別されることを明らかにしたもので、明りょうでない記載の釈明を目的とするものである。
　そして、上記ａないしｆの訂正後の記載事項は、訂正前の明細書に記載されており、いずれの訂正も、願書に添付した明細書又は図面に記載された事項の範囲内のものであり、しかも、実質上特許請求の範囲を拡張又は変更するものでもない。
（３）結論
　したがって、上記の訂正は、特許法第１２０条の４第２項及び同条第３項で準用する第１２６条第２項及び第３項の規定に適合するので、当該訂正を認める。
３．特許異議の申立てについての判断
（１）本件発明
　本件請求項１に係る発明（以下、「本件発明」という。）は、訂正後の明細書及び図面の記載からみて、その特許請求の範囲の請求項１に記載された次の事項によって特定されるとおりのものである。
「収容した錠剤を任意錠数ずつ取り出し可能に構成された多数の錠剤フィーダを筒状に収納した錠剤収納庫と、これらの錠剤フィーダから取り出された錠剤を収集する錠剤ホッパと、散薬か環状に配分されるターンテーブルと、このターンテーブル上に配分された散薬を任意の角度分ずつ切り出す切出手段と、この切出手段によって切り出された散薬および前記錠剤ホッパにて収集された錠剤を受け入れる共通ホッパと、この共通ホッパに付設されその薬剤通路を開閉する手段と、前記共通ホッパを介して落下した散薬および錠剤を受け入れる投入ホッパと、この投入ホッパを介して薬剤が投入される包装装置とを備えていることを特徴とする薬剤分包機。」
（２）申立ての理由の概要
　申立人藤本直行は、概略、以下の理由により本件発明に係る特許は取り消されるべきものであると主張する。
（ｉ）異議理由１
　本件発明は、甲第１号証（又は甲第４号証）、甲第５号証（又は甲第６号証、甲第７号証）及び甲第８号証に記載された発明に基づいて、当業者が容易に発明をすることができたものであるから、特許法第２９条第２項の規定により特許を受けることができないものである。
（ｉｉ）異議理由２
　本件の平成１０年４月１３日付手続補正書による補正は、明細書の要旨を変更するものであるので、本件の特許出願日は、前記手続き補正書を提出した日、即ち、平成１０年４月１３日に繰り下がる結果、本件発明は、その出願日前に公開された本件特許の公開公報（甲第１２号証）に記載された発明と同一であり、特許法第２９条第１項第３号に該当し、特許を受けることができないものである。
（３）証拠
　異議申立人の提出した証拠は以下のとおりである。
甲第　１号証　特開昭６３−６３４６２号公報
甲第　２号証　特開昭５０−９１４９７号公報
甲第　３号証　特開昭５９−１８７５０２公報
甲第　４号証　特開昭６３−６３４６１号公報
甲第　５号証　特開平２−１９２２２号公報
甲第　６号証　実開平３−３５００３号公報
甲第　７号証　特開昭５７−１０３６４３号公報
甲第　８号証　特開昭５４−７６３９５号公報
甲第　９号証　特開平１−２５４５０２号公報
甲第１０号証　本件特許発明の当初明細書及び図面
甲第１１号証　ＪＩＳ工業用語大辞典第４版第７６９頁
甲第１２号証　特開平４−３２７１１５号公報
（４）異議理由２について
　本件特許の出願日を特定する必要があるので、まず異議理由２について検討する。
　異議申立人は、平成１０年４月１３日付手続補正書による補正事項の「このホッパに付設されその薬剤通路を開閉する手段」が、願書に最初に添付した明細書又は図面（以下、「当初明細書」という。）に記載した事項の範囲内におけるものではない旨主張している。
　そこで検討すると、当初明細書には、「共通ホッパ１４には、閉鎖状態において、共通ホッパ１４に落下した錠剤または散薬を一時貯留するようになった共通シャッタ１５が設けられ、共通シャッタ１５は、図２に示すようにシャッタ制御装置からの指令に基づき、共通シャッタ開閉装置１６の作動によって開閉するようになっている。」（段落【０００７】　【実施例】第３１〜３４行）、「……このまとめられた錠剤は、……共通シャッタが開放されると、共通ホッパ１４を通って投入ホッパ２４から包装装置３に投入されて、……」（段落【０００８】第１２〜１５行）、「……この切り出された１包分の散薬は、共通ホッパ１４へ落下して、閉鎖状態にある共通シャッタ１５によって一時貯留される。」（段落　【０００８】第２７〜２８行）、「……この一時貯留された散薬は、……共通シャッタが開放されると、投入ホッパ２４から包装装置に投入されて、……」（段落【０００８】第２９〜３１行）等がの記載されており、それらの記載から「共通シャッタ１５」は、共通ホッパ１４に付設され、その閉鎖、開放によって、共通ホッパ１４から投入ホッパを経て包装装置３へ投入される錠剤及び／又は散薬の通路を開閉するものであることが理解される。すなわち、「（共通）ホッパに付設されその薬剤通路を開閉する手段」は、当初明細書に記載された範囲内の事項ということができる。
　なお、異議申立人は、一般的に「シャッタ」なる用語は、甲第１１号証に記載されているように「多数の羽根をつないで、たわみを持たせた戸」を意味する旨主張しているが、甲第１１号証における上記の記載は、［Ｅ４００１］と後記されているように、日本工業規格（ＪＩＳ）のＥ４００１、鉄道車両用語における用語の定義であって、「シャッタ」の一般的な意味を開示するものではなく、当初明細書に記載された「共通シャッタ」を、甲第１１号証の上記記載によって規定されるようなものと解釈しなければならない理由はない。
　以上のとおりであるので、本件の平成１０年４月１３日付手続補正書による補正は明細書の要旨を変更するものではなく、本件の出願日を、平成１０年４月１３日とすべき理由もないので、本件の出願日は、当初の平成３年４月１８日である。
　したがって、本件の公開公報によって、本件発明が特許法第２９条第１項第３号に該当するものとする異議申立人の主張は理由がない。
（５）異議理由１について
ａ．引用刊行物記載の発明
　当審が通知した取消理由に引用された刊行物１（特開昭５４−７６３９５号公報、異議申立人の提示した甲第８号証）には、「横移動する錠剤ケースと散剤ケースにより、一回分ずつの錠剤と散剤をグラシンに投入して、融着装置で密封することを連続的に行うようにした」（第１頁右下欄第１９行〜第２頁左上欄第２行）「自動分割分包機」に係る発明が記載されており、「横方向移動自在の数多に区割した錠剤ケース（１）」（特許請求の範囲）、「融着装置（１９）と散剤ケース（１３）間に上下動自在で、且つ下部を開閉自在にしたホッパー（２０）を設ける」（第２頁左下欄第１〜３行）」、「ホッパ（２０）の上部の前半分は散剤ケース（１３）が位置するようにして後半分には錠剤ケース（１）の最左端にのみ位置する錠剤ホッパー（２３）の下端開口部が位置するようにした」（第２頁左下欄第８〜１１行）、「散剤ケース（１３）の上部……には散剤投入用の枠（３０）が設けられ、……枠（３０）の仕切片（３２）の左側に散剤を入れてセットする」（第２頁右下欄第１２行〜第３頁左上欄第１行）等の点が図面とともに示されている。
　刊行物２（特開平２−１９２２２号公報、異議申立人の提示した甲第５号証）、刊行物３（実願平１−９４４５６号（実開平３−３５００３号）のマイクロフィルム、異議申立人の提示した甲第６号証に相当）および刊行物４（特開昭５７−１１０３６４３号公報、異議申立人の提示した甲第７号証）には、多数の錠剤フィーダを筒状に収納した構成の錠剤フィーダが開示されている。
　刊行物５（特開昭５０−９１４９７号公報、異議申立人の提示した甲第２号証）および刊行物６（特開平１−２５４５０２号公報、異議申立人の提示した第９号証）には、散剤を所定量ずつ切り出す手段として、散剤が環状に配分されるターンテーブルと、このターンテーブル上に配分された散薬を任意の角度ずつ切り出す切出手段とからなるものが開示されている。
ｂ．対比・判断
　本件発明と、刊行物１に記載された発明とを対比すると、下記の点で両者は相違している。
（イ）本件発明の「錠剤収納庫」が「多数の錠剤フィーダを筒状に収納した」ものであるのに対し、刊行物１に記載された「錠剤ケース」は「横方向移動自在の数多に区割されたものである点、
（ロ）本件発明において、散薬が環状に配分されるターンテーブルと、このターンテーブル上に配分された散薬を任意の角度ずつ切り出す切出手段とにより所定量の散薬を切り出すのに対し、刊行物１に記載された発明においては、仕切片を備えた枠により散剤ケースに所定量の散剤がセットされる点
（ハ）本件発明の散薬および錠剤を投入される「共通ホッパ」は、「薬剤通路を開閉する手段」を備えており、該「開閉する手段」は、明細書の実施例の「共通ホッパ１４には……共通シャッタ１５が設けられ、共通シャッタ１５は……シャッタ制御装置１２からの指令に基づき、共通シャッタ開閉装置１６の作動によって開閉するようになっている」の記載および図面等の記載から見て、積極的に開閉操作されるものと解されるのに対し、刊行物１に記載された散剤および錠剤を投入される「ホッパ（２０）」は、その下部が、「開閉自在」にしてあるとされているが、「開閉する手段」を備えていることは示されていない。
（ニ）本件発明において、散薬および錠剤を薬剤通路を開閉する手段を付設した共通ホッパに受け入れ、該共通ホッパを介して落下した散薬及び錠剤を投入ホッパを介して包装装置へと投入するのに対し、刊行物１に記載された発明においては、融着装置（本件発明の包装装置に相当）と散剤ケース間に設けられたホッパー（２０）は、投入された散剤および錠剤を、直接グラシン（包装紙）へと投入するものであり、本願発明の「投入ホッパ」を備えていない。
　そして、上記相違点（イ）に係る「多数の錠剤フィーダを筒状に収納した錠剤収納庫」および相違点（ロ）に係るターンテーブルを用いた散薬切出手段は、上記のように、刊行物２ないし４および刊行物５，６にそれぞれ開示されているように本件出願前周知の事項であるが、刊行物２ないし６に記載された発明はいずれも、錠剤分包あるいは散薬の分包に係るものであり、散薬および錠剤の両者を分包するものではなく、散薬および錠剤を受け入れる「共通ホッパ」は、刊行物２ないし４のいずれにも記載されていないので、上記相違点（ハ）（ニ）に係る本件発明の構成は記載されておらず、また、それをを示唆する開示もない。
　そして、本件発明は、上記の構成を具備することにより、明細書に記載されたような「ターンテーブルから切り出された散薬が開閉手段によって共通ホッパ内に一時貯留されてから一度に投入ホッパそして包装装置へ送られるようになっていて、錠剤だけを任意錠数ずつ分包することもできるし、散薬だけを分包することもできるし、さらには、錠剤と散薬とを任意の組み合わせで分包することができる」という格別の作用効果を生じるものと認められる。
　したがって、本件請求項１に係る発明は、取り消し理由通知で指摘した刊行物に記載された発明に基づいて当業者が容易に発明をすることができたものとすることができない。
ｃ．異議申立人の主張
　異議申立人は、本件発明と甲第１号証（又は甲第４号証）に記載された発明とを対比し、それらの相違点については、甲第５号証（又は甲第６号証および甲第７号証）に記載された構成、及び甲第８号証に記載された構成を適用することによって、当業者が容易に推考し得たものである旨主張している。
　しかし、特許異議申立人の提出した証拠のいずれにも、上記ｂで述べた相違点（ハ）（ニ）に係る本件発明の構成は記載も示唆もされておらず、それらの証拠をいかように組み合わせても、当業者が容易に本件発明に想到し得たとすることはできない。
４．むすび
　以上のとおりであるから、異議申立人の主張する理由により、本件特許を取り消すことはできない。
　また、他に本件請求項１に係る発明の特許を取り消すべき理由を発見しない。
　よって、結論のとおり決定する。
【異議決定日】
平成１１年９月２８日（１９９９．９．２８）
【訂正の要旨】
訂正の要旨
ａ．特許請求の範囲の請求項１の「散薬および錠剤が投入される包装装置」を、明りょうでない記載の釈明を目的として、「散薬および錠剤を受け入れる投入ホッパと、この投入ホッパを介して薬剤が投入される包装装置」と訂正する。
ｂ．特許請求の範囲の請求項１の単なる「ホッパ」を、明りょうでない記載の釈明を目的として、「共通ホッパ」と訂正する。
ｃ．発明の詳細な説明の段落【０００５】の「散薬および錠剤が投入される包装装置」を、明りょうでない記載の釈明を目的として、「散薬および錠剤を受け入れる投入ホッパと、この投入ホッパを介して薬剤が投入される包装装置」と訂正する。
ｄ．発明の詳細な説明の段落【０００５】の単なる「ホッパ」を、明りょうでない記載の釈明を目的として、「共通ホッパ」と訂正する。
ｅ．発明の詳細な説明の段落【０００６】の「開閉手段によってホッパ内に一時貯留れてから一度に包装装置へ送られる」を、明りょうでない記載の釈明を目的として、「開閉手段によって共通ホッパ内に一時貯留されてから一度に投入ホッパへ送られ更に包装装置に送られる」と訂正する。
ｆ．発明の詳細な説明の段落【００１２】の「開閉手段によってホッパ内に一時貯留されてから一度に包装装置へ送られる」を、明りょうでない記載の釈明を目的として、「開閉手段によって共通ホッパ内に一時貯留されてから一度に投入ホッパそして包装装置に送られる」と訂正する。
（５４）【発明の名称】
薬剤分包機
（５７）【特許請求の範囲】
　【請求頁１】
　収容した錠剤を任意錠数ずつ取り出し可能に構成された多数の錠剤フィーダを筒状に収納した錠剤収納庫と、これらの錠剤フィーダから取り出された錠剤を収集する錠剤ホッパと、散薬が環状に配分されるターンテーブルと、このターンテーブル上に配分された散薬を任意の角度分ずつ切り出す切出手段と、この切出手段によって切り出された散薬および前記錠剤ホッパにて収集された錠剤を受け入れる
共通
共通
共通
を受け入れる投入ホッパと、この投入ホッパを介して薬剤
【発明の詳細な説明】
　【０００１】
　【産業上の利用分野】
　この発明は、錠剤と散薬とを任意に組み合わせて分包する薬剤分包機に関するものである。
　【０００２】
　【従来の技術】
　一般に、任意の種類の錠剤を取り扱う錠剤分包機は、従来から種々のものが実用化されているし、また、任意の種類の散薬を取り扱う散薬分包機も、従来から種々のものが実用化されている。そのため、錠剤だけを連続して分包する場合は、従来の適宜の錠剤分包機を使用すればよいし、一方、散薬だけを連続して分包する場合は、従来の適宜の散薬分包機を使用すればよい。ところが、病院薬局等では、錠剤と散薬とを適宜組み合わせて分包することが必要な場合がある。このような場合、従来の錠剤分包機と散薬分包機とをただ単に２台並べて使用したのでは、錠剤分包機で分包された錠剤の分包体群と、散薬分包機で分包された散薬の分包体群とが別々にできあがるだけであって、たとえば、錠剤と散薬とが１包ずつ交互に分包されたような分包体群を作成することはできず、したがって、そのような処方に対応することができない。そのため、錠剤と散薬とを任意に組み合わせて分包することのできる薬剤分包機の実用化が、かねてから要望されていた。
　【０００３】
　【発明が解決しようとする課題】
　しかしながら、このような薬剤分包機は、錠剤の特性と散薬の特性とがあまりに違い過ぎることから、いまだ実用化されていない。すなわち、錠剤の場合は、１包中に分包する量を個数すなわち錠数で取り扱うことができるため、たとえば容器に収容された多数の錠剤の中から、各包ごとの錠数を正確に分割して取り出すことができ、そのため、錠剤を１錠ずつ取り出すようになった錠剤フィーダが、広く利用されている。これに対して、散薬の場合は、１包中に分包する量を文字どおり分量で取り扱わなければならないため、たとえば容器に収容された多量の散薬の中から、各包ごとの分量を均一に分割して取り出すことは困難である。そのため、散薬を１度に１包分ずつ取り出すようになった散薬フィーダは、いまだ実用化されておらず、従来は、全周が多数のマスに分割された環状分割マス体を所要角度分だけ正逆回転させながら、その角度に対応した所定分包数（たとえば２１または４２等）の分割マスに、１処方分（たとえば２１包分または４２包分等）の散薬を投入して、分割するようになっている。ところが、このような環状分割マス体を使用した場合、その分割マスの個数を上回る数の分割は不可能であるうえ、環状分割マス体の正逆回転の切り換え時における散薬の配分制御が困難で、そのため、散薬の分割が両端の分割マスで不均一になることが避けられない。また、錠剤の場合、たとえばある種類の錠剤Ａと、別の種類の錠剤Ｂとを同一包中に分包する場合も、Ａ、Ｂそれぞれの錠数を決めることによって、所定の種類の錠剤Ａ、Ｂを所定の錠数ずつ同一包中に分包することができる。これに対して、散薬の場合、たとえばある種類の散薬ａと、別の種類の散薬ｂとを同一包中に分包する場合は、散薬ａの分割誤差と、散薬ｂの分割誤差とがそれぞれ独立して発生し、しかもその発生の程度は散薬の種類によってまちまちであることから、両者を総合するとより大きな誤差が生じる可能性があり、その結果、所定の種類の散薬ａ、ｂを所定の分量ずつ同一包中に分包することは多分に困難である。
　【０００４】
　この発明は上記従来のもののもつ問題点を解決して、散薬の分割誤差が実質的に発生せず、しかも、錠剤と散薬とを任意の組み合わせで分包することのできる薬剤分包機を提供することを目的とするものである。
　【０００５】
【課題を解決するための手段】
　この発明は、上記目的を達成するため、収容した錠剤を任意錠数ずつ取り出し可能に構成された多数の錠剤フィーダを筒状に収納した錠剤収納庫と、これらの錠剤フィーダから取り出された錠剤を収集する錠剤ホッパと、散薬が環状に配分されるターンテーブルと、このターンテーブル上に配分された散薬を任意の角度分ずつ切り出す切出手段と、この切出手段によって切り出された散薬および前記錠剤ホッパにて収集された錠剤を受け入れる
共通
共通
共通
を受け入れる投入ホッパと、この投入ホッパを介して薬剤
　【０００６】
　【作用】
　この発明は上記手段を採用したことにより、切出手段によってターンテーブルから切り出される散薬は実質的に分割誤差が発生せず、しかも、ターンテーブルから切り出された散薬はホッパを介して包装装置へ送られるとともに、個々の錠剤フィーダから別々に取り出された各種の錠剤は錠剤ホッパによって先ず収集されてから後続の
共通
共通
投入ホッパへ送られ更に
　【０００７】
　【実施列】
　図１はこの発明による薬剤分包機の一実施例を示し、この薬剤分包機は、筐体１の上部に錠剤収納庫２が設けられ、筐体１の下部に包装装置３が設けられ、錠剤収納庫２と包装装置３との中間に、散薬が環状に配分されるターンテーブル４と、ターンテーブル４上に配分された散薬を任意の角度分ずつ切り出す切出体５とが設けられている。錠剤収納庫２は、多数の錠剤フィーダ７、７、…（図２参照）を、平面的にみて環状に配置するとともに、上下方向にも配置することによって、前体として円筒状に収納したうえ、これらの錠剤フィーダ７、７、…を、その円筒の軸心のまわりに回転可能に構成したものである。図１では図示を省略してあるが、錠剤収納庫２には、収納されたすべての錠剤フィーダ７、７、…から取り出される錠剤を、錠剤収納庫２の下方に設けられた錠剤ホッパ８へ落下させるシュートが設けられている。錠剤フィーダ７、７、…は、それぞれ任意の種類の錠剤を個別に多数収容するものであり、図２に示すように、錠剤取出制御装置９から指令を受けると、収容した錠剤を指定された錠数だけ取り出すようになっている。また、錠剤収納庫２の下部には、形状が特殊であったり、使用頻度がきわめて低くて、そのため錠剤フィーダ７に収容しておくのに適さない錠剤を分包する際、それらを１包分ずつ分けて所定包数分手撒きしてセットするようになった手撒きカセット１０が、前方へ引き出し可能に、そして、手前において着脱可能に設けられている。手撒きカセット１０もまた、図２に示すように、錠剤取出制御装置９から指令を受けると、セットされた錠剤を１包分ずつ錠剤ホッパ８へ落下させるようになっている。錠剤ホッパ８の下端には、閉鎖状態において、錠剤ホッパ８に落下した錠剤を一時貯留するようになった錠剤シャッタ１１が設けられ、錠剤シャッタ１１は、図２に示すように、シャッタ制御装置１２からの指令に基づき、錠剤シャッタ開閉装置１３の作動によって開閉するようになっている。錠剤シャッタ１１の下方には、開放された錠剤シャッタ１１を通過して落下する錠剤を受け入れるとともに、切出体５によって切り出された散薬を受け入れるようになった共通ホッパ１４が設けられている。共通ホッパ１４には、閉鎖状態において、共通ホッパ１４に落下した錠剤または散薬を一時貯留するようになった共通シャッタ１５が設けられ、共通シャッタ１５は、図２に示すように、シャッタ制御装置１２からの指令に基づき、共通シャッタ開閉装置１６の作動によって開閉するようになっている。ターンテーブル４は、断面円弧状の凹溝１７が環状に形成されたものであり、また、凹溝１７に対応して、適宜の散薬フィーダ１８と、切出体５とが配置されている。散薬フィーダ１８は、散薬フィーダ駆動装置１９（図２参照）の作動によって、１処方分の散薬を徐々に給送してターンテーブル４の凹溝１７内に落下させるようになっており、また、ターンテーブル４は、ターンテーブル駆動装置２０（図２参照）の作動によって、凹溝１７の環状中心のまわりに一方向に回転するようになっている。そして、散薬フィーダ１８の給送速度がたとえば速すぎて、それにより散薬が飛び散ったりしないよう、図２に示すように、散薬配分制御装置２１が、取り扱う散薬の種類や分量に応じて、散薬フィーダ１８の給送速度を制御するようになっている。また、散薬フィーダ１８による散薬の給送開始から終了までの間に、ターンテーブル４が少なくとも１回転以上、実際には複数回回転して、それにより散薬が均一に配分されるよう、図２に示すように、散薬配分制御装置２１が、散薬フィーダ１８の給送速度に対するターンテーブル４の回転速度を、最適制御するようになっている。切出体５は、凹溝１７の全長Ｌの一部（好ましくは１０数分の１〜数１０分の１程度）の長さに相当する切出幅（図示しないスクレーパ板の幅）Ｗを有し、かつ、切り出し時に散薬がこぼれないように設けた両側板のうち一方の側板だけが、凹溝１７の円弧状断面に対応した円形に形成されたものであり、散薬の配分時には、邪魔にならないよう、凹溝１７から上方へ退避した位置にあり、一方、散薬の分割時には、凹溝１７に対応した位置にあって、切出体駆動装置２２（図２参照）の作動によって、凹溝１７の円弧状断面の曲率中心のまわりに一方向に回転するようになっている。切出体５の幅Ｗと、散薬の実際の切出幅との間には、つぎの関係がある。すなわち、散薬の分割数がＬ：Ｗの比に等しいときは、切出体５を１回転させると、ちょうど１包分の散薬が凹溝１７から切り出されることとなるため、散薬のこぼれに対する調整の必要を除けば、切出体５の幅Ｗそれ自体が、散薬の実際の切出幅を決定することになる。これに対して、分割数がＬ：Ｗの比より小さいときは、切出体５を１回転させただけでは切出幅が足りないが、この場合は、切出体５の円形側板に対してターンテーブル４を順方向に所要角度だけ回動させることによって、凹溝１７内の散薬を円形側板が堰止め、それにより、切出体５の幅Ｗが一定であるにもかかわらず、散薬の実際の切出幅を、切出体５の幅Ｗよりも大きい任意の値に設定して切り出すものである。一方、分割数がＬ：Ｗの比より大きいときは、切出体５の幅Ｗが大きすぎるため、最初の１包分の切り出しに先立って、切出体５の円形側板に対してターンテーブル４を逆方向に所要角度だけ回動させ、それによりこの回動角度分だけ切出体５の有効切出幅を見掛け上小さくして切り出し、２包目以降はターンテーブル４の順方向送り量を切出体５の幅Ｗよりも小さくすることによって、切出体５の幅Ｗが一定であるにもかかわらず、散薬の実際の切出幅を、切出体５の幅Ｗよりも小さい任意の値に設定して切り出すものである。そして、切出体５の回転速度がたとえば速すぎて、それにより散薬が飛び散ったりしないよう、図２に示すように、散薬分割制御装置２３が、取り扱う散薬の種類や切出量に応じて、切出体５の回転速度を制御するようになっている。また、散薬の分割数に応じて、図２に示すように、散薬分割別制御装置２３が、ターンテーブル４の回転角度量を制御するようになっている。共通シャッタ１５の下方には、開放された共通シャッタ１５を通過して落下する錠剤または散薬を受け入れて、包装装置３の適宜の分包紙に１包分の薬剤として投入する投入ホッパ２４が設けられている。包装装置３は、図２に示すように、包装制御装置２５から指令を受けると、投入ホッパ２４から分包紙に投入される錠剤または散薬を、１包分の薬剤として分包するようになっている。そして、図２に示すように、上記したすべての制御装置、すなわち、錠剤取出制御装置９、シャッタ制御装置１２、散薬配分制御装置２１、散薬分割制御装置２３および包装制御装置２５は、中央制御装置２６によって、薬剤分包機の各部の動作が、以下に述べるように、包装タイミングを基本として有機的に関連付けて制御されるようになっている。すなわち、中央制御装置２６は、包装制御装置２５が包装可能であることを示しているとき、シャッタ制御装置１２に指令を発し、錠剤シャッタ開閉装置１３または共通シャッタ開閉装置１６を介して、錠剤シャッタ１１（錠剤を分包するとき）または共通シャッタ１５（散薬を分包するとき）を開放させることができる。そのため、錠剤を分包するときは、中央制御装置２６は、シャッタ制御装置１２を介して錠剤シャッタ１１を開放させるより前に、錠剤取出制御装置９に指令を発し、分包すべき所定の錠剤を収容した錠剤フィーダ７を作動させ、それによって取り出された所定数の錠剤を錠剤ホッパ８へ落下させて、閉鎖状態にある錠剤シャッタ１１に一時貯留させる。一方、散薬を分包するときは、中央制御装置２６は、シャッタ制御装置１２を介して共通シャッタ１５を開放させるより前に、散薬分割制御装置２３に指令を発し、分包すべき所定の散薬をターンテーブル４から切出体５で分割して切り出させ、さらに、それに先立って、散薬配分制御装置２１に指令を発し、分割すべき所定の散薬を散薬フィーダ１８からターンテーブル４に、凹溝１７の全長にわたって均一に配分させる。以上のように、薬剤分包機の各部の動作は、中央制御装置２６によって、包装タイミングを基本として制御されるように構成されている。
　【０００８】
　つぎに、上記のように構成された薬剤分包機の作用について説明する。まず、錠剤収納庫２に設置された錠剤フィーダ７、７、…に収容されている錠剤を分包する場合は、図示しない適宜の入力手段によって、その錠剤の種類と分包すべき錠数その他必要事項を入力する。すると、中央制御装置２６が錠剤取出制御装置９に指令を発し、これを受けて錠剤取出制御装置９が、所定の錠剤フィーダ７を作動させて、所定の錠剤を所定錠数だけ取り出し、この取り出された錠剤は、錠剤ホッパ８へ落下して、閉鎖状態にある錠剤シャッタ１１によって一時貯留される。そのため、分包すべき錠剤が複数種類あっても、個々の錠剤フィーダ７、７、…から別々に取り出された錠剤は、錠剤シャッタ１１によって一旦まとめられることとなる。そして、このまとめられた錠剤は、中央制御装置２６から指令を受けたシャッタ制御装置１２によって錠剤シャッタ１１および共通シャッタ１５が開放されると、共通ホッパ１４を通って投入ホッパ２４から包装装置３に投入されて、１包分として分包されることとなる。また、錠剤フィーダ７に収容された錠剤に限らず、手撒きカセット１０にセットされる錠剤についても、同様にして、１包分ずつ分包されるものである。つぎに、散薬を分包する場合は、図示しない適宜の入力手段によって、その散薬の種類と分包すべき分量その他必要事項を入力する一方、その散薬を１処方分調剤して散薬フィーダ１８に投入する。すると、中央制御装置２６が散薬配分制御装置２１に指令を発し、これを受けて散薬配分制御装置２１が、散薬フィーダ１８を作動させてその散薬を給送させるとともに、ターンテーブル４を回転させて散薬の配分動作を行わせる。配分動作が終了したら、中央制御装置２６が散薬分割制御装置２３に指令を発し、これを受けて散薬分割制御装置２３が、ターンテーブル４を所定角度ずつ回動させながら、切出体５を回転させて、凹溝１７内の散薬を１包分ずつ分割して切り出し、この切り出された１包分の散薬は、共通ホッパ１４へ落下して、閉鎖状態にある共通シャッタ１５によって一時貯留される。そして、この一時貯留された散薬は、中央制卸装置２６から指令を受けたシャッタ制御装置１２によって共通シャッタ１５が開放されると、投入ホッパ２４から包装装置３に投入されて、１包分として分包されることとなる。さらに、錠剤と散薬とをたとえば１包ずつ交互に分包する場合は、中央制御装置２６が、包装タイミングにしたがってシャッタ制御装置１２に指令を発して、上記の錠剤分包の場合における錠剤シャッタ１１および共通シャッタ１５の開放と、上記の散薬分包の場合における共通シャッタ１５の開放とを、交互に行わせることによって、所定の錠剤フィーダ７または手撒きカセット１０から取り出された錠剤と、ターンテーブル４から切出体５によって切り出された散薬とは、１包分ずつ交互に分包されることとなる。
　【０００９】
　図３はこの発明による薬剤分包機の他の実施例を示し、この薬剤分包機は、錠剤収納庫２と包装装置３との間に、上下に配置された上ターンテーブル４Ｕおよび下ターンテーブル４Ｄからなる１組のターンテーブルと、ターンテーブル上に配分された散薬を任意の角度分ずつ切り出す切出体５とが設けられたものであり、その他の部分は、図１に示すものと同様であるので、相違点についてのみ以下に説明する。ターンテーブルは、図３に示すように、上ターンテーブル４Ｕが左側の位置（配分位置）にあり、かつ、下ターンテーブル４Ｄが右側の位置（分割位置）にある状態と、これとは反対に、上ターンテーブル４Ｕが右側の位置（分割位置）にあり、かつ、下ターンテーブル４Ｄが左側の位置（配分位置）にある状態とを、切り換え反転可能に構成されていて、しかも、図示の状態から反転したとき、右側（分割位置）にきた上ターンテーブル４Ｕが、図３の下ターンテーブル４Ｄと同一高さとなるよう、切り換え反転と同時に昇降するようになっている。このターンテーブルの切り換え反転は、切換反転制御装置２７（図４参照）の指令によって行われ、切換反転制御装置２７は、ターンテーブルの切り換え反転にともなって、図４に破線で示すように、散薬配分制御装置２１と上ターンテーブル駆動装置２０Ｕとを接続し、かつ、散薬分割制御装置２３と下ターンテーブル駆動装置２０Ｄとを接続する状態（図３に対応した状態）と、図４に鎖線で示すように、散薬配分制御装置２１と下ターンテーブル駆動装置２０Ｄとを接続し、かつ、散薬分割制御装置２３と上ターンテーブル駆動装置２０Ｕとを接続する状態とを、切り換えるようになっている。分割位置では、上ターンテーブル４Ｕの場合も、下ターンテーブル４Ｄの場合も、同一高さとなるため、切出体５は、ターンテーブルの切り換え反転時に、邪魔にならないよう、凹溝１７から上方へ退避できるように構成されている。一方、配分位置では、上ターンテーブル４Ｕの場合と、下ターンテーブル４Ｄの場合とで、高さがかなり相違するため、散薬フィーダ１８は、上ターンテーブル４Ｕの場合はそれに対応した上方位置、下ターンテーブル４Ｄの場合はそれに対応した下方位置となるよう、ターンテーブルの切り換え反転と同時に昇降するように構成されている。このように構成された薬剤分包機は、分割位置にあるターンテーブル（図１の下ターンテーブル４Ｄの位置にあるもの）からの散薬の分割動作中に、配分位置にあるターンテーブル（図１の上ターンテーブル４Ｕの位置にあるもの）に対して、他の散薬を配分することができ、そのようにすれば、はじめの散薬の分割動作が終了したのち、ただちに、つぎの散薬の分割動作を開始することができるという利点がある。
　【００１０】
　図５はこの発明による薬剤分包機のさらに他の実施例を示し、この薬剤分包機は、錠剤収納庫２と包装装置３との間に、散薬が環状に配分される１組のターンテーブル４Ｌ、４Ｒと、ターンテーブル４Ｌ、４Ｒ上に配分された散薬を任意の角度分ずつ切り出す切出体５Ｌ、５Ｒとが設けられたものであり、その他の部分は、図１に示すものと同様である。このように構成された薬剤分包機は、たとえばターンテーブル４Ｌを使ってある散薬の配分、分割を行うことと、ターンテーブル４Ｒを使って他の散薬の配分、分割を行うこととが、同時にも、また、交互にも可能であり、そのため、たとえば、ある散薬と他の散薬とを、１包ずつ交互に分包するようなことが実現できるという利点がある。
　【００１１】
　なお、上記実施例では、図１に示すように、切出体５をターンテーブル４の向かって右端に配置したが、図示の便宜のための配置であって、これに限定するものでなく、切出体５は、錠剤ホッパ８の無理のない絞り込みと、包装装置３への投入ホッパ２４の無理のない配置とによって許容される範囲内において、任意に位置決めすることが可能である。また、上記実施例では、図１に示すように、散薬フィーダ１８をターンテーブル４の向かって左端に配置したが、これも図示の便宜のための配置であって、これに限定するものでなく、たとえば、筐体１の手前から散薬の投入が容易に行えるように、それに適した任意の位置に位置決めすることが可能である。また、上記実施例では、図１に示すように、散薬フィーダ１８からターンテーブル４へ散薬を直接供給するようにしたが、これに限定するものでなく、たとえば、散薬フィーダ１８から、断面Ｖ形の溝を有するＶマスへ一旦散薬を供給して一様にならしたうえ、Ｖマスからターンテーブル４へ散薬をそのまま落下させるだけで、散薬を均一に配分させることも可能である。また、ターンテーブルの個数、配置その他の条件は、上記実施例のものに限定せず、適宜に設定することが可能である。また、切出体は、上記実施例のものに限定せず、適宜の構成のものとすることが可能である。さらに、錠剤と散薬との組み合わせパターンは、上記実施例のように、１包ずつ交互に分包するものに限定せず、必要に応じて、錠剤と散薬とを１包中に分包することも含め、どのようなパターンでも実現することが可能である。
　【００１２】
　【発明の効果】
　この発明は上記のように構成したので、錠剤収納庫に筒状に収納された錠剤フィーダのうちの選択した錠剤フィーダから錠剤を任意錠数ずつ取り出すことができる一方、ターンテーブルから散薬を実質的に分割誤差なく切り出すことができ、しかも、ターンテーブルから切り出された散薬が開閉手段によって
共通
投入ホッパそして
【図面の簡単な説明】
　【図１】この発明による薬剤分包機の一実施例を示す概略的立面図である。
　【図２】図１の薬剤分包機のブロック図である。
　【図３】この発明による薬剤分包機の他の実施例を示す概略的立面図である。
　【図４】図３の薬剤分包機のブロック図である。
　【図５】この発明による薬剤分包機のさらに他の実施例を示す概略的立面図である。
　【図６】図５の薬剤分包機のブロック図である。
　【符号の説明】
１：筐本　　　　　　　　　　　　　　２：錠剤収納庫
３：包菱装置　　　　　　　　　　　　４：ターンテーブル
４Ｕ：上ターンテーブル　　　　　　　４Ｄ：下ターンテーブル
４Ｌ：ターンテーブル　　　　　　　　４Ｒ：ターンテーブル
５：切出体　　　　　　　　　　　　　７：錠剤フィーダ
８：錠剤ホッパ　　　　　　　　　　　９：錠剤取出制御装置
１０：手撒きカセット　　　　　　　　１１：錠剤シャッタ
１２：シャッタ制御装置　　　　　　　１３：錠剤シャッタ開閉装置
１４：共通ホッパ　　　　　　　　　　１５：共通シャッタ
１６：共通シャッタ開閉装置　　　　　１７：凹溝
１８：散薬フィーダ　　　　　　　　　１８Ｌ：散薬フィーダ
１８Ｒ：散薬フィーダ　　　　　　　　１９：散薬フィーダ駆動装置
１９Ｌ：散薬フィーダ駆動装置　　　　１９Ｒ：散薬フィーダ駆動装置
２０フ：ターンテーブル駆動装置　　　２０Ｕ：上ターンテーブル駆動装置
２０Ｄ：下ターンテーブル駆動装置　　２０Ｌ：ターンテーブル駆動装置
２０Ｒ：ターンテーブル駆動装置　　　２１：散薬配分制御装置
２１Ｌ：散薬配分制御装置　　　　　　２１Ｒ：散薬配分制御装置
２２：切出体駆動装置　　　　　　　　２２Ｌ：切出体駆動装置
２２Ｒ：切出体駆動装置　　　　　　　２３：散薬分割制御装置
２３Ｌ：散薬分割制御装置　　　　　　２３Ｒ：散薬分割制御装置
２４：投入ホッパ　　　　　　　　　　２５：包装制御装置
２６：中央制御装置　　　　　　　　　２７：切換反転制御装置